(57)【要約】      （修正有）【課題】ストローの材料をプラスチック製に変わるものとして、自然に優しい木材を使用した有効な木製ストローを製作する木製中空パイプの成型機を提供する。【解決手段】０．１〜０．５ｍｍ厚さの木材スライス単薄板を使用する管径３〜１０ｍｍの木製の中空パイプの製造装置は、平板盤上３に駆動体のモーター４と、回転調整させる二連結ギアー軸体５と、二連結ギアー軸体５に連動させて中心部に型枠丸棒６を配置できるようになった二本の回転用丸棒軸体７と上部に押え用丸棒軸体とからなる中空成形部と、回転用丸棒軸体７の両端を固着させる２台の軸固定枠部８とからなっている。【選択図】図１
0003221962.tif 000002
【実用新案登録請求の範囲】
【請求項１】
０．１〜０．５ｍｍ厚さの木材スライス単薄板を使用して、管径３〜１０ｍｍの木製の中空パイプの製造装置は、平板盤上に駆動体のモーターと、回転調整させる二連結ギアー軸体と、前記二連結ギアー軸体に連動させて中心部に型枠丸棒を配置できるようになった二本の回転用丸棒軸体と上部に押え用丸棒軸体とからなる中空成形部と、前記回転丸棒軸体の両端を固着させる２台の軸固定枠部とからなっていることを特徴とする木製中空パイプの成型機。
【請求項２】
二本の回転丸棒軸体は、各々２０〜６０ｍｍ径、１５０〜５００ｍｍ長さの同一円形体で、及び上部の押え用丸棒軸体は、３０〜８０ｍｍ径、１５０〜５００ｍｍ長さの同一円形体であって、隣接する下部の二本の回転用丸棒軸体は同一方法に回転して、木材スライス単薄板を型枠丸棒に巻く役目を果たし、上部の丸棒軸体は薄板を巻いた型枠丸棒を抑える役目をもたらしており、前記三本の回転丸棒軸体の中心部に定格の型枠丸棒を配置して、木材スライス単薄板を中空パイプに巻くことができるようになって、前記三本の回転丸棒軸体の両端を軸固定枠体によって固定されていることを特徴とする請求項１に記載の木製中空パイプの成型機。
【請求項３】
前記型枠丸棒は、回転丸棒軸体の円形体に対して径で１／５〜１／１０に、長さでそれ以下にして、木製、樹脂製、金属製であって、三本の回転丸棒軸体の最後部から取り出すことができるようになって、前記型枠丸棒への木材スライス単薄平板が巻き付く速度を前記三連結ギアー軸体の直径と速度によってコントロールできるようにしていることを特徴とする請求項１、又は請求項２に記載の木製中空パイプの成型機。
【請求項４】
管径３〜１０ｍｍの木製の中空パイプは、前記木材スライス単薄平板を丸棒の型枠を設置した三本の丸棒軸体のうち二本の回転用丸棒軸体に、木目方向に対して１０〜３０°の角度で挟入させて、前記木材スライス単薄平板の端部に接着剤を塗布して、中心部に位置する丸棒体に沿って、２〜６回斜巻できるようになっていることを特徴とする請求項１、又は請求項２、又は請求項３に記載の木製中空パイプの成型機。
【請求項５】
前記成型機に使用する一定の寸法の木材スライス単薄平板は、白色から茶色を呈して、木質の特性を持つ木製平板において、前記材の厚さ０．１〜０．５ｍｍに調整された幅５０〜１５０ｍｍ、長さ２００〜５００ｍｍの平滑的薄平板を、木目方向１０〜２０°角度で、前記平板の端部に前記単平板の端部である接合面に食品安全性の多糖質系、又はアクリレート系の接着剤を使用した前記平板片面の接合面の端に塗布して、丸棒体に沿って２〜６回に巻いて得られた木製中空パイプ状になっていることを特徴とする請求項１、又は請求項２、又は請求項３、又は請求項４に記載の木製中空パイプの成型機。
【考案の詳細な説明】
【技術分野】
【０００１】この考案は、スライス単薄板を木目方向に対して特定角度で巻いた飲料用木製ストローを製作せる木製中空パイプの成型機に関するものである。
【背景技術】
【０００２】飲料に使用する吸飲用のストロ−は、ストロ−原料のプラスチック製の管を、密封容器の深さよりも僅か長めに切断し、その一端側を斜にカットして、密封容器の密封部にストロ−先端が突き刺しやすくし、他端側は単に輪切りにしたものが提供されている。また、密封容器の側面にストロ−を一体的に接着付帯させた密封容器入り飲料が自動販売機用に販売されている。これに用いられているストロ−は、密封容器よりも長いとその突出部分が障害となって自動販売機内にスム−ズには流れにくくなるために、密封容器の側面の長さ以下になるように縮小可能な出没二重管方式のものが普及している。【０００３】液体食品用紙容器に用いられる１本若しくは複数本のストロー管からなる飲料用ストローであって、該液体食品用紙容器が該飲料用ストローを差込むための薄肉部を器壁に有し、該ストローが、該薄肉部に差込まれる側のストロー管の先端で鋭角に斜めに切断されて形成される尖った先端槍部と先端基部とを有し、該先端基部の外側角部がアール加工又は／及び面取り加工されている飲料用ストローが提案されている（特許文献１参照）。【０００４】内ストローと外ストローとからなり、内ストローを外ストロー内に納めてあり、この内ストローを外ストローから引き出して伸長する飲料用ストローであって、外ストローの長さを内ストローの長さの概略２倍程とし、外ストローの中間部位置に蛇腹部を設け、外ストローの飲み口近傍部位置に同じく蛇腹部を設けてある飲料用ニ重ストローが提案されている（特許文献２参照）。【０００５】上記のように飲料用ストローは、すべてプラスッチク製であって、利便性の改良であり、また用途面での工夫である。プラスッチク製以外に他の材料のストローは存在していない。とくに欧州などではプラスチック製のストローは禁止になり、使用が難しくなっている。プラスチックに変わるものとして、自然に優しい木材、紙製品が期待するが、製作上、或いは価格的に課題を多くもっている。【０００６】木製ストローを製作する方法の提案、あるいはそれに関する製造装置に関しては提案はなされていない。とくにスライス単薄板を木目方向に対して特定角度で巻いた飲料用木製ストローを製作せる木製中空パイプの成型機に関する文献は存在していない。
【先行技術文献】
【特許文献】
【０００７】
【特許文献１】特開２００６−１４１５７５号公報
【特許文献２】特開２００９−１６０２５１号公報
【考案の概要】
【考案が解決しようとする課題】
【０００８】本考案はかかる実情に鑑みてなされたもので、ストロ−原料のプラスチック製のパイプ管に置き換えて、環境に優れた材料である木材、紙であるパイプを使用することを試みて、吸飲するに際して、ストローとして飲料の不意の放出を防止し、容易且つ安全に吸飲できるプラスチック製以外の材料でできているストロ−の可能性を試みられているが、大量製造に関してプラスチック以外には可能性が薄いものであり、特に木製のストロー、及びその製法については全く存在していない。したがってコスト高になっている。間環境面からは木製ストローの製造機器は望まれている。【０００９】現在使用されているストローはすべてプラスチック製である。このプラスチック製ストローは他の生物に悪影響を与えて、環境の面から使用禁止になる方向である。今までのストローは、プラスチック製で、種々の形状を安価に製造できることから、他の材料から全く検討はされていなかった。とくに欧州などではプラスチック製のストローは禁止になり、使用が難しくなっている。ストローをプラスチックに変わるものとして、自然に優しい木材製品が期待するが、製作上、或いは価格的に課題を多くもっている。自然に優しい木材を使用した有効なストローをプラクチック製品と同様に多量に製作できる木製ストローの中空パイプの製作機器を確立することを目的にしている。
【課題を解決するための手段】
【００１０】０．１〜０．５ｍｍ厚さの木材スライス単薄板を使用して、管径３〜１０ｍｍの木製の中空パイプの製造装置は、平板盤上に駆動体のモーターと、回転調整させる二連結ギアー軸体と、前記二連結ギアー軸体に連動させて中心部に型枠丸棒を配置できるようになった二本の回転丸棒軸体と上部に押え用丸棒軸体とからなる中空成形部と、前記回転丸棒軸体の両端を固着させる２台の軸固定枠体とからなっている木製中空パイプの成型機である。【００１１】二本の回転丸棒軸体は、各々２０〜６０ｍｍ径、１５０〜５００ｍｍ長さの同一円形体で、及び上部の押え用丸棒軸体は、３０〜８０ｍｍ径、１５０〜５００ｍｍ長さの同一円形体であって、隣接する下部の二本の回転丸棒軸体は同一方法に回転して、木材スライス単薄板を型枠丸棒に巻く役目を果たし、上部の丸棒軸体は薄板を巻いた型枠丸棒を抑える役目をもたらしており、前記三本の回転丸棒軸体の中心部に定格の型枠丸棒を配置して、木材スライス単薄板を中空パイプに巻くことができるようになって、前記三本の回転丸棒軸体の両端を軸固定枠体によって固定されている。【００１２】前記型枠丸棒は、回転丸棒軸体の円形体に対して径で１／５〜１／１０に、長さでそれ以下にして、木製、樹脂製、金属製であって、三本の回転丸棒軸体の最後部から取り出すことができるようになって、前記型枠丸棒への木材スライス単薄平板が巻き付く速度を前記三連結ギアー軸体の直径と速度によってコントロールできるようにしている。【００１３】管径３〜１０ｍｍの木製の中空パイプは、前記木材スライス単薄平板を丸棒の型枠を設置した三本の丸棒軸体のうち二本の回転丸棒軸体に、木目方向に対して１０〜３０°の角度で挟入させて、前記木材スライス単薄平板の端部に接着剤を塗布して、中心部に位置する丸棒体に沿って、３〜６回斜巻できるようになっている。【００１４】前記成型機に使用する一定の寸法の木材スライス単薄平板は、白色から茶色を呈して、木質の特性を持つ木製平板において、前記材の厚さ０．１〜０．５ｍｍに調整された幅５０〜１５０ｍｍ、長さ２００〜５００ｍｍの平滑的薄平板を、木目方向１０〜３０°角度で、前記平板の端部に前記単平板の端部である接合面に食品安全性の多糖質系、又はアクリレート系の接着剤を使用した前記平板片面の接合面の端に塗布して、丸棒体に沿って３〜６回に巻いて得られた木製中空パイプ状になっている。
【考案の効果】
【００１５】環境的にも優れている管径３〜８ｍｍの木製の中空パイプとして飲料用木製ストローが、簡単に多量に製造できるようになった。またこれによってプラスチック製のストローなどの食用容器に置き換わって、広く使用されて、環境的にも問題がすくなくなった。【００１６】本考案による装置によって製作された木製のストローは、プラスチック製に比べて、強度的にも十分で、亀裂とかヒズミなどが存在しない強靭なであり、耐久性も持っている。また加工性は用途に応じて可能であり、木製の特性である殺菌性、抗菌性などを持っており、衛生的である。また廃棄しても自然にかえるために地球環境的には非常に優れている。
【図面の簡単な説明】
【００１７】
【図１】木製中空パイプの成型機の斜視図。
【図２】木製中空パイプの成型機の各部品に関する図  Ａ：回転ベルト  Ｂ：回転キヤー  Ｃ：ア三本回転丸棒軸体  Ｃ：軸固定枠体
【図３】木製中空パイプの成型機で薄板巻き状態の拡大図。Ａ：丸棒に巻く状態  Ｂ：断面図状態
【図４】木製中空パイプの成型機の使用状態を示した斜視図  Ａ：三本回転丸棒軸体の薄板嵌め込み  Ｂ：拡大図
【図５】木製中空パイプの成型機を使用した型枠丸棒に巻き付けたストローを示した斜視図
【考案を実施するための形態】
【００１８】以下に、この発明の一実施形態を、図面に基づいて説明する。
プラスチック製ストローに代わるものとして、自然に優しい木材の材料を目指して、製作上、或いは価格的に検討を加えて、自然に優しい木材を使用した有効なストローを製作する方法について示す。
【実施例１】
【００１９】０．２ｍｍ厚さの木材スライス単薄板を使用して、管径６ｍｍの木製の中空パイプの製造装置は、図１、及び図２に示すように、平板盤上に駆動体のモーターと、回転調整させる二連結ギアー軸体と、前記二連結ギアー軸体に連動させて中心部に型枠丸棒を配置できるようになった三本の回転丸棒軸体と、前記回転丸棒軸体の両端を固着させる２台の軸固定枠体とから製作された。【００２０】図３、図４で示すように、三本の回転丸棒軸体は、各々４０ｍｍ径、２００ｍｍ長さの同一円形体であって、隣接する下部の二本の回転丸棒軸体は同一方法に回転して、木材スライス単薄板を型枠丸棒に巻く役目を果たし、上部の回転丸棒軸体は薄板を巻いた型枠丸棒を抑える役目をもたらしており、前記三本の回転丸棒軸体の中心部に定格の型枠丸棒を配置して、木材スライス単薄板を中空パイプに巻くことができるようになって、前記三本の回転丸棒軸体の両端を軸固定枠体によって固定された。図５に示すように木材スライス単薄板が型枠丸棒に巻き付いた製品が得られた。【００２１】前記型枠丸棒は、図３Ｂに示すように回転丸棒軸体の円形体に対して径で約１／６に、長さでそれ以下にして、金属製であって、三本の回転丸棒軸体の最後部から取り出すことができるようになって、前記型枠丸棒への木材スライス単薄平板が巻き付く速度を前記三連結ギアー軸体の直径と速度によってコントロールできるようにした。【００２２】管径６ｍｍの木製の中空パイプは、前記木材スライス単薄平板を丸棒の型枠を設置した三本の丸棒軸体のうち二本の回転丸棒軸体に、木目方向に対して２０〜３０°の角度で挟入させて、前記木材スライス単薄平板の端部に接着剤を塗布して、中心部に位置する丸棒体に沿って、約５回斜巻できるようにした。【００２３】前記成型機に使用する一定の寸法の木材スライス単薄平板は、白色から茶色を呈して、木質の特性を持つ木製平板において、前記材の厚さ０．２ｍｍに調整された幅７０ｍｍ、長さ３００ｍｍの平滑的薄平板を、木目方向２０〜３０°角度で、前記平板の端部に前記単平板の端部である接合面に食品安全性のアクリレート系の接着剤を使用した前記平板片面の接合面の端に塗布して、丸棒体に沿って５回に巻いて得られた６ｍｍ径の木製中空パイプ状にした。
【実施例２】
【００２４】図１に示すように０．２ｍｍ厚さの木材スライス単薄板を使用して、管径１０ｍｍの木製の中空パイプの製造装置は、平板盤上に駆動体のモーターと、回転調整させる二連結ギアー軸体と、前記二連結ギアー軸体に連動させて中心部に型枠丸棒を配置できるようになった三本の回転丸棒軸体と、前記回転丸棒軸体の両端を固着させる２台の軸固定枠体とからなった。【００２５】三本の回転丸棒軸体は、各々４０ｍｍ径、２００ｍｍ長さの同一円形体であって、隣接する下部の二本の回転丸棒軸体は同一方法に回転して、木材スライス単薄板を型枠丸棒に巻く役目を果たし、上部の回転丸棒軸体は薄板を巻いた型枠丸棒を抑える役目をもたらしており、前記三本の回転丸棒軸体の中心部に定格の型枠丸棒を配置して、木材スライス単薄板を中空パイプに巻くことができるようになって、前記三本の回転丸棒軸体の両端を軸固定枠体によって固定された。【００２６】前記型枠丸棒は、回転丸棒軸体の円形体に対して径で約１／５に、１８０ｍｍ長さで金属製であって、三本の回転丸棒軸体の最後部から取り出すことができるようになって、前記型枠丸棒への杉木材スライス単薄平板が巻き付く速度を前記三連結ギアー軸体の直径と速度によってコントロールできるようにした。【００２７】管径１０ｍｍの木製の中空パイプは、前記木材スライス単薄平板を丸棒の型枠を設置した三本の丸棒軸体のうち二本の回転丸棒軸体に、木目方向に対して１０〜２０°の角度で挟入させて、前記木材スライス単薄平板の端部に接着剤を塗布して、中心部に位置する丸棒体に沿って、６回斜巻できるようにした。【００２８】前記成型機に使用する一定の寸法の杉木材スライス単薄平板は、茶色を呈して、木質の特性を持つ木製平板において、前記材の厚さ０．３ｍｍに調整された幅７０ｍｍ、長さ２５０ｍｍの平滑的薄平板を、木目方向１０〜２０°角度で、前記平板の端部に前記単平板の端部である接合面に食品安全性の多糖質系の接着剤を使用した前記平板片面の接合面の端に塗布して、丸棒体に沿って６回に巻いて得られた木製中空パイプ状にした。
【実施例３】
【００２９】実施例１と同様に０．３ｍｍ厚さの木材スライス単薄板を使用して、管径６ｍｍの木製の中空パイプの製造装置は、平板盤上に駆動体のモーターと、回転調整させる二連結ギアー軸体と、前記二連結ギアー軸体に連動させて中心部に型枠丸棒を配置できるようになった三本の回転丸棒軸体と、前記回転丸棒軸体の両端を固着させる２台の軸固定枠体とからなった装置を使用した。【００３０】三本の回転丸棒軸体は、各々６０ｍｍ径、３００ｍｍ長さの同一円形体であって、隣接する下部の二本の回転丸棒軸体は同一方法に回転して、木材スライス単薄板を型枠丸棒に巻く役目を果たし、上部の回転丸棒軸体は薄板を巻いた型枠丸棒を抑える役目をもたらしており、前記三本の回転丸棒軸体の中心部に定格の型枠丸棒を配置して、木材スライス単薄板を中空パイプに巻くことができるようになって、前記三本の回転丸棒軸体の両端を軸固定枠体によって固定させた。【００３１】前記型枠丸棒は、回転丸棒軸体の円形体に対して径で１／７に、長さでそれ以下にして、樹脂製であって、三本の回転丸棒軸体の最後部から取り出すことができるようになって、前記型枠丸棒への木材スライス単薄平板が巻き付く速度を前記三連結ギアー軸体の直径と速度によってコントロールできるようにした。【００３２】管径６ｍｍの木製の中空パイプは、前記木材スライス単薄平板を丸棒の型枠を設置した三本の丸棒軸体のうち二本の回転丸棒軸体に、木目方向に対して１０〜３０°の角度で挟入させて、前記木材スライス単薄平板の端部に接着剤を塗布して、中心部に位置する丸棒体に沿って、５回斜巻できるようにした。
【符号の説明】
【００３３】１  木製ストロー、
２  スライス単薄板、
３  平板盤上
４  モーター
５  連結ギアー軸体
６  型枠丸棒
７  回転用丸棒軸体
８  軸固定枠部
９  木目、
１０  ベルト
１１  巻き目
１２  接着剤
１３  押え用棒軸体
１４  中空成形部
【図１】
0003221962.tif 000003
【図２】
0003221962.tif 000004
【図３】
0003221962.tif 000005
【図４】
0003221962.tif 000006
【図５】
0003221962.tif 000007
【手続補正書】
【提出日】平成31年4月2日(2019.4.2)
【手続補正１】
【補正対象書類名】実用新案登録請求の範囲
【補正対象項目名】全文
【補正方法】変更
【補正の内容】
【実用新案登録請求の範囲】
【請求項１】
０．１〜０．５ｍｍ厚さの木材スライス単薄板を使用して、管径３〜１０ｍｍの木製の中空パイプの製造装置は、平板盤上に駆動体のモーターと、回転調整させる二連結ギアー軸体と、前記二連結ギアー軸体に連動させて中心部に型枠丸棒体を配置できるようになった二本の回転用丸棒軸体と上部に押え用丸棒軸体とからなる中空成形部と、前記回転丸棒軸体の両端を固着させる２基の軸固定枠部とからなっていることを特徴とする木製中空パイプの成型機。
【請求項２】
二本の回転丸棒軸体は、各々２０〜６０ｍｍ径、１５０〜５００ｍｍ長さの同一円形体で、及び上部の押え用丸棒軸体は、３０〜８０ｍｍ径、１５０〜５００ｍｍ長さの同一円形体であって、隣接する下部の二本の回転用丸棒軸体は同一方法に回転して、木材スライス単薄板を型枠丸棒体に巻く役目を果たし、上部の丸棒軸体は薄板を巻いた型枠丸棒を抑える役目をもたらしており、前記三本の回転丸棒軸体の中心部に定格の型枠丸棒体を配置して、木材スライス単薄板を中空パイプに巻くことができるようになって、前記三本の回転丸棒軸体の両端を軸固定枠体によって固定されていることを特徴とする請求項１に記載の木製中空パイプの成型機。
【請求項３】
前記型枠丸棒は、回転丸棒軸体の円形体に対して径で１／５〜１／１０に、長さでそれ以下にして、木製、樹脂製、金属製であって、二本の回転用丸棒軸体と上部に押え用丸棒軸体である三本の回転丸棒軸体の最端部から取り出すことができるようになって、前記型枠丸棒への木材スライス単薄平板が巻き付く速度を前記二連結ギアー軸体の直径と回転速度によってコントロールできるようにしていることを特徴とする請求項１、又は請求項２に記載の木製中空パイプの成型機。
【請求項４】
管径３〜１０ｍｍの木製の中空パイプは、前記木材スライス単薄平板を丸棒の型枠丸棒を設置した三本の回転丸棒軸体のうち下部二本の回転用丸棒軸体に、木目方向に対して１０〜３０°の角度で挟入させて、前記木材スライス単薄平板の端部に接着剤を塗布して、中心部に位置する型枠丸棒に沿って、２〜６回斜巻できるようになっていることを特徴とする請求項１、又は請求項２、又は請求項３に記載の木製中空パイプの成型機。
【請求項５】
前記成型機に使用する一定の寸法の木材スライス単薄平板は、白色から茶色を呈した木質の特性を持つ木製平板において、厚さ０．１〜０．５ｍｍに調整された幅５０〜１５０ｍｍ、長さ２００〜５００ｍｍの平滑的単薄平板を、前記単薄平板の長さ方向での端部と前記単薄平板の内面部である接合面で接着できるように、前記端部の５〜１０ｍｍの幅で食品安全性の多糖質系、又はアクリレート系の接着剤を塗布して、前記二連結ギアー軸体を回転させながら木目方向１０〜２０°角度で挟入させて、型枠丸棒体に巻き付けて所望の長さの木製中空パイプにしていることを特徴とする請求項１、又は請求項２、又は請求項３、又は請求項４に記載の木製中空パイプの成型機。
【手続補正２】
【補正対象書類名】明細書
【補正対象項目名】００１４
【補正方法】変更
【補正の内容】
【００１４】前記成型機に使用する一定の寸法の木材スライス単薄平板は、白色から茶色を呈して、木質の特性を持つ木製平板において、前記材の厚さ０．１〜０．５ｍｍに調整された幅５０〜１５０ｍｍ、長さ２００〜５００ｍｍの平滑的薄平板を、前記単薄平板の長さ方向での端部と前記単薄平板の内面部である接合面で接着できるように、前記端部の５〜１０ｍｍの幅で食品安全性の多糖質系、又はアクリレート系の接着剤を塗布して、前記二連結ギアー軸体を回転させながら木目方向１０〜２０°角度で挟入させて、型枠丸棒体に巻き付けて所望の長さの木製中空パイプにしている